(57)【要約】【課題】ナットと組み合わせて、貫通ノブナットを作成可能なノブナット本体を提供する。【解決手段】ノブナット本体１には、ナット収納部３が形成されている。ナット収納部３は、六角ナットＮの座面及び座面対向面と対向する一対の対向壁部５，５と、一対の対向壁部５，５を連結し、六角ナットＮの外周面の一部に沿って周方向に延びる連結壁部７と、連結壁部７の周方向の一対の端部９，９間に形成されて、六角ナットＮの外周面の残部を露出させる開口部１１とを有している。開口部１１はナットをナット収納部３内に挿入することを可能にする形状寸法を有しており、一対の対向壁部５，５には、ナットの内周面と整合する位置に丸棒部材が貫通する一対の対向貫通孔１３，１３が形成されており、連結壁部７の内壁面の形状は、ナットの外周面を構成する複数の平面のうち少なくとも２つの平面と係合する形状を有している。【選択図】  図１
2019086014.tif 000002
【特許請求の範囲】
【請求項１】
外周面の輪郭形状が多角形状をなし、雄ねじが形成された丸棒部材の前記雄ねじが螺合する雌ねじが内周面に形成され、前記外周面と前記内周面との間に座面及び該座面と対向する座面対向面を有するナットを収納するナット収納部が形成されたノブナット本体であって、
前記ナット収納部は、
前記ナットの前記座面及び前記座面対向面と対向する一対の対向壁部と、
前記一対の対向壁部を連結し、前記ナットの前記外周面の一部に沿って周方向に延びる連結壁部と、
前記連結壁部の前記周方向の一対の端部間に形成されて、前記ナットの前記外周面の残部を露出させる開口部とを有しており、
前記開口部は前記ナットを前記ナット収納部内に挿入することを可能にする形状寸法を有しており、
前記一対の対向壁部には、前記ナットの前記内周面と整合する位置に前記丸棒部材が貫通する一対の対向貫通孔が形成されており、
前記連結壁部の内壁面の形状は、前記ナットの前記外周面を構成する複数の平面のうち少なくとも２つの平面と係合する形状を有することを特徴とするノブナット本体。
【請求項２】
前記連結壁部の外壁部には、前記対向貫通孔の径方向外側に延びる１以上の指掛け部が形成されている請求項１に記載のノブナット本体。
【請求項３】
一対の前記指掛け部が前記周方向に１８０度間隔をあけて配置されている請求項２に記載のノブナット本体。
【請求項４】
前記ナットは、六角ナットである請求項１に記載のノブナット本体。
【請求項５】
前記連結壁部の前記内壁面の形状は、前記六角ナットの前記外周面を構成する６面の平面のうち連続する４面と係合する形状を有する請求項４に記載のノブナット本体。
【請求項６】
前記一対の対向壁部のそれぞれの外壁部は、前記対向貫通孔の径方向に延びる平坦面を有する請求項１に記載のノブナット本体。
【発明の詳細な説明】
【技術分野】
【０００１】
本発明は、ナットと組み合わせて、ノブナットを作成するノブナット本体に関するものである。
【背景技術】
【０００２】
従来から、雄ねじが形成された丸棒部材と、丸棒部材に取り付けられたナット（多くの場合、六角ナット）との組み合わせからなる、いわゆるアジャスターボルトが知られている。アジャスターボルトは、対象物の高さ調整等に用いられている。例えば、椅子の脚の内部等に設けられたアジャスターボルト受け（ナット部材）に螺合された丸棒部材を回転させて高さ調整をしてから、ナットを用いて丸棒部材を固定するようになっている。このナットは、レンチ等の工具を用いて締め付ける必要があり、工具を用いずに、ナットを手締めできれば便利である。
【０００３】
そこで、ナットを手締め可能なノブナットに変更することが考えられる。例えば、意匠登録第１３５２８５３号（特許文献１）に記載のようなノブナット本体を用いれば、六角ナットを用いて、ノブナットを作成することができる。
【先行技術文献】
【特許文献】
【０００４】
【特許文献１】意匠登録第１３５２８５３号公報
【発明の概要】
【発明が解決しようとする課題】
【０００５】
しかしながら、特許文献１に記載のノブナット本体を用いて作成可能なノブナットは、ノブナット本体内に収納したナットをキャップで押さえ付けるように構成された、丸棒部材がノブナットを貫通しない袋状のノブナットである。そのため、上記のようにノブナットを丸棒部材が貫通しなければならないアジャスターボルトに用いることができない。
【０００６】
本発明の目的は、ナットと組み合わせて、丸棒部材がノブナットを貫通可能なタイプのノブナット（いわゆる貫通ノブナット）を作成可能なノブナット本体を提供することである。
【０００７】
本発明の他の目的は、従来のノブナットに比べて、部品点数を少なくしたノブナット本体を提供することである。
【課題を解決するための手段】
【０００８】
本発明は、外周面の輪郭形状が多角形状をなし、雄ねじが形成された丸棒部材の雄ねじが螺合する雌ねじが内周面に形成され、外周面と内周面との間に座面及び該座面と対向する座面対向面を有するナットを収納するナット収納部が形成されたノブナット本体に関するものである。
【０００９】
本発明のナット収納部は、ナットの座面及び座面対向面と対向する一対の対向壁部と、一対の対向壁部を連結し、ナットの外周面の一部に沿って周方向に延びる連結壁部と、連結壁部の周方向の一対の端部間に形成されて、ナットの外周面の残部を露出させる開口部とを有しており、開口部はナットをナット収納部内に挿入することを可能にする形状寸法を有しており、一対の対向壁部には、ナットの内周面と整合する位置に丸棒部材が貫通する一対の対向貫通孔が形成されており、連結壁部の内壁面の形状は、ナットの外周面を構成する複数の平面のうち少なくとも２つの平面と係合する形状を有することを特徴としている。
【００１０】
このように構成されているため、本発明のノブナット本体は、開口部からナットを挿入してナット収納部にナットを収納し、この状態で丸棒部材を通すだけで、貫通ノブナットとして機能する。ノブナット本体は従来のようなキャップを有しておらず、部品点数も減らすことができる。
【００１１】
ノブナットを用いて手締めしやすくするため、連結壁部の外壁部には、対向貫通孔の径方向外側に延びる１以上の指掛け部が形成されていることが好ましい。一対の指掛け部が周方向に１８０度間隔をあけて配置されていれば、より手締めがしやすくなる。
【００１２】
ナットは、四角ナット等、どのようなナットでもよいが、広く普及しており、アジャスターボルトにも多く用いられている六角ナットであってもよい。ナットが六角ナットの場合、連結壁部の内壁面の形状は、六角ナットの外周面を構成する６面の平面のうち連続する４面と係合または接触する形状を有していることが好ましい。
【００１３】
本発明のノブナット本体の場合、一対の対向壁部のそれぞれの外壁部は、対向貫通孔の径方向に延びる平坦面を有するようにすることもできる。このようにすれば、ノブナット本体の一対の対向壁部のどちらの外壁部も締結面として使用することができる。
【図面の簡単な説明】
【００１４】
【図１】本実施の形態の一例であるノブナット本体の斜視図である。
【図２】（Ａ）は、図１に示したノブナット本体の正面図、（Ｂ）は、平面図、（Ｃ）は、背面図、（Ｄ）は、側面図、（Ｅ）は、（Ａ）のＥ−Ｅ線断面図である。
【図３】（Ａ）乃至（Ｃ）は、アジャスターボルトの六角ナットにノブナット本体を装着して貫通ノブナットとして機能させる工程を示す図である。
【発明を実施するための形態】
【００１５】
以下、図面を参照して、本発明のノブナット本体の実施の形態を詳細に説明する。
【００１６】
図１は、本実施の形態の一例であるノブナット本体の斜視図であり、図２（Ａ）は、図１に示したノブナット本体の正面図、図２（Ｂ）は、平面図、図２（Ｃ）は、背面図、図２（Ｄ）は、右側面図、図２（Ｅ）は、図２（Ａ）のＥ−Ｅ線断面図である。本実施の形態のノブナット本体は、左右対称の形状をしているため、左側面図は省略する。
【００１７】
６６ナイロン等の合成樹脂により一体に成形されたノブナット本体１には、六角ナットＮを収納するナット収納部３が形成されている。ナット収納部３は、六角ナットＮの座面及びこの座面と対向する座面対向面のそれぞれと対向する一対の対向壁部５，５と、一対の対向壁部５，５を連結し、六角ナットＮの外周面の一部に沿って周方向に延びる連結壁部７と、連結壁部７の周方向の一対の端部９，９間に形成されて、六角ナットＮの外周面の残部を露出させる開口部１１とを有している。連結壁部７の外周面は、円柱面の一部に近似した形状を有している。
【００１８】
開口部１１は、六角ナットＮをナット収納部３内に挿入することを可能にする形状寸法を有している。本実施の形態では、開口部１１は、一対の端部９，９の間の幅方向の寸法Ｗが、六角ナットＮの二面間間隔寸法（六角ナットＮの互いに平行する２面間の距離）と実質的に同じであり、一対の対向壁部５，５が対向する方向（高さ方向）の寸法Ｈが、六角ナットＮの座面と座面対向面との間の寸法（高さ寸法）と実質的に同じになるように構成されている。また、連結壁部７の内壁面の形状は、図２（Ｅ）に示すように、六角ナットの外周面を構成する６面のうち、連続する４面とそれぞれ係合するまたは接触する形状を有している。
【００１９】
一対の対向壁部５，５には、ナット収納部３に収納された六角ナットＮの雌ネジが形成される内周面と整合する位置に丸棒部材ＣＲが貫通する一対の対向貫通孔１３，１３が形成されている。一対の対向貫通孔１３，１３の輪郭形状は円形である。
【００２０】
連結壁部７の外壁部には、周方向に１８０度間隔をあけて配置された、対向貫通孔１３の径方向外側に延びる一対の指掛け部１５，１５が形成されている。一対の指掛け部１５，１５の、それぞれ図２（Ｂ）に示した平面図に示される平面輪郭形状は、連結壁部７から径方向外側に離れるに従って幅寸法が小さくなり、先端部に円弧を有する形状を呈している。そして一対の指掛け部１５，１５には、高さ方向に貫通する貫通孔１６，１６がそれぞれ形成されている。
【００２１】
また一対の対向壁部５，５のそれぞれの外壁部には、一対の対向貫通孔１３の周囲を囲み高さ方向に突出する円環状の一対の凸部６，６を有している。この一対の凸部６，６は、対向貫通孔１３の径方向に延びる平坦面６ａ，６ａを有している。この凸部６，６の平坦面６ａ，６ａは、ナットの座面としての機能を果たし、被締結面と接触する。対向壁部５から突出した凸部６のみが被締結面と接触するようになっているため、その他の部分（一対の指掛け部１５，１５等）が被締結面と対向する場合、被締結面との間に隙間が生じるようになっており、締結作業がしやすく、また、被締結面を傷つけることがない。平坦面６ａ，６ａは一対の対向壁部５，５に備えられているため、どちらの面も締結面として使用することができ、例えば、ノブナット本体１を上下逆さにしても同じように使用することができる。
【００２２】
図３（Ａ）乃至（Ｃ）は、アジャスターボルトの六角ナットＮにノブナット本体１を装着して、貫通ノブナットとして機能させる際の工程を示す図である。この例では、アジャスターボルトは、椅子の脚ＣＬの高さ調整を行うために、椅子の脚ＣＬに備えられているものである（椅子の他の部分は図示省略）。アジャスターボルトは、丸棒部材ＣＲと六角ナットＮとから構成されており、丸棒部材ＣＲが椅子の脚ＣＬ内に設けられたアジャスターボルト受けに螺合されている。
【００２３】
ノブナット本体１を装着するため、椅子の脚ＣＬから丸棒部材ＣＲを取り外し、さらに、丸棒部材ＣＲから六角ナットＮを取り外す。この状態で、ノブナット本体１の開口部１１からナット収納部３内に六角ナットＮを挿入する（図３（Ａ）の状態）（なお、ノブナット本体１に六角ナットＮを挿入したものを、一体として「貫通ノブナット」と呼ぶことがある）。
【００２４】
次に、六角ナットＮを収納した状態でノブナット本体１の一対の対向貫通孔１３，１３に丸棒部材ＣＲを通す。すなわち、一対の対向貫通孔１３，１３と六角ナットＮの内周面が整合しているため、六角ナットＮの内周面に形成された雌ネジを丸棒部材ＣＲの外周に形成された雄ネジとを螺合させることで、丸棒部材ＣＲが一対の対向貫通孔１３，１３及び六角ナットＮを貫通することになる。指掛け部１５，１５に作業者の親指と人差し指とを掛けてノブナット本体１を回転させることで、ノブナット本体１内の六角ナットＮもノブナット本体１と一緒に回転し、丸棒部材ＣＲに貫通ノブナットの六角ナットＮを螺合させることができる。そして、丸棒部材ＣＲを椅子の脚ＣＬ内に設けられたアジャスターボルト受けに螺合する（図３（Ｂ）の状態）。
【００２５】
丸棒部材ＣＲを回転させて椅子の脚ＣＬの高さ調整を行い、適切な高さとなったところで、指掛け部１５，１５を用いてノブナット本体１を回転させ、椅子の脚ＣＬの端面に当接するまで、貫通ノブナットを椅子の脚ＣＬ方向に進める。貫通ノブナットによって、椅子の脚ＣＬと丸棒部材ＣＲを引き離す方向に力が加わり、丸棒部材ＣＲが固定される（図３（Ｃ）の状態）。
【００２６】
丸棒部材ＣＲの固定を解除する際は、指掛け部１５，１５を用いてノブナット本体１を回転させ、椅子の脚ＣＬの端面から貫通ノブナットを引き離せばよい。なお、貫通ノブナットをきつく締めすぎてしまって手回しで締結を解除できないような場合には、貫通孔１６，１６に棒状の治具を挿し入れて、治具を利用して貫通ノブナットを回転させて、締結を解除することもできる。
【００２７】
以上、本発明の実施の形態について具体的に説明したが、本発明はこれらの実施の形態に限定されるものではなく、本発明の技術的思想の範囲内で変更が可能であるのは勿論である。
【００２８】
例えば、上記では、既存のナットにノブナット本体を装着することで手締め可能にする例として、アジャスターボルトを構成するナットにノブナット本体を適用したが、本発明はこれに限られるものではない。もちろん、新規にナットを使用する場面で、手元にあるナットにノブナット本体を装着することも想定される。
【００２９】
また、ナットは六角ナットに限られるものではなく、四角ナット等、他の形状のナットに適合するようにノブナット本体を構成してもよいのはもちろんである。
【産業上の利用可能性】
【００３０】
本発明によれば、ナットと組み合わせて、貫通ノブナットを作成可能なノブナット本体を提供することができる。また、部品点数を少なくしたノブナット本体を提供することができる。
【符号の説明】
【００３１】
１  ノブナット本体
３  ナット収納部
５，５  一対の対向壁部
６，６  一対の凸部
６ａ，６ａ  平坦面
７  連結壁部
９，９  一対の端部
１１  開口部
１３，１３  一対の対向貫通孔
１５，１５  一対の指掛け部
１６，１６  貫通孔
Ｎ  六角ナット
ＣＲ  丸棒部材
ＣＬ  椅子の脚
【図１】
2019086014.tif 000003
【図２】
2019086014.tif 000004
【図３】
2019086014.tif 000005